(57)【要約】 【課題】光軸方向の位置調整はもとより、アオリ調整も行なうことができる簡易な調整機構を備えた屈曲光学ユニットを提供する。【解決手段】ハウジングを前側ハウジング１００Ａと後側ハウジング１００Ｂとに分ける。前側ハウジング１００Ａには、プリズムを含む第１レンズ群の残りのレンズと第２レンズ群１２とが保持され、後側ハウジング１００Ｂには第３レンズ群と第４レンズ群１４とが保持される。双方のハウジング１００Ａ，１００Ｂを、弾性体Ｇ１を挟んでネジ１０１Ａで締結するようにしてネジの締め付け具合によりレンズの位置やアオリを調整する。【選択図】図２
2007199405.tif 000002
【特許請求の範囲】
【請求項１】
前方に向かう第１の光軸に沿って入射してきた被写体光を該第１の光軸と交わる第２の光軸に沿う方向に反射する反射光学素子を含む複数のレンズ群を備え、該第２の光軸に沿って進んできた被写体光を所定の結像面上に結像させる屈曲光学ユニットにおいて、
前記反射光学素子を含み、前記第２の光軸に沿って前記結像面に至る前の途中までのレンズ群を保持する前側ハウジングと、
前記複数のレンズ群のうちの前側ハウジングに保持されたレンズ群を除く残りのレンズ群を保持する後側ハウジングとを備え、
前記前側ハウジングと前記後側ハウジングが、互いの間に弾性体を挟んで互いに締結されたものであることを特徴とする屈曲光学ユニット。
【請求項２】
前記複数のレンズ群が、被写体側から前記結像面側に向かって順に、前記屈曲光学素子を含む第１のレンズ群、第２のレンズ群、第３のレンズ群、および第４のレンズ群からなり、前記第１のレンズ群、前記第２のレンズ群が前記前側ハウジングに保持され、前記第３のレンズ群、前記第４のレンズ群が前記後側ハウジングに保持されたものであることを特徴とする請求項１記載の屈曲光学ユニット。
【発明の詳細な説明】
【技術分野】
【０００１】
本発明は、前方に向かう第１の光軸に沿って入射してきた被写体光をその第１の光軸と交わる第２の光軸に沿う方向に反射する反射光学素子を含む複数のレンズ群を備え、その第２の光軸に沿って進んできた被写体光を所定の結像面上に結像させる屈曲光学ユニットに関する。
【背景技術】
【０００２】
撮影装置には、前方に向かう第１の光軸に沿って入射してきた被写体光を第１の光軸と直交する方向に延びる第２の光軸に沿う方向に反射して撮像素子上に結像させる屈曲光学系を備えたものがある。この屈曲光学系を用いるとカメラボディの薄型化を図ることができる。
【０００３】
この屈曲光学系の最大のメリットを引き出して薄型化を達成するためには、第１の光軸を持つ光学部材の数をなるべく減らして、できるだけ反射光学素子例えばプリズムの出射面側にズームレンズのような光軸方向に移動させる必要のあるレンズ群を配置することが好ましい（例えば特許文献１参照）。そうすると第１の光軸に沿って光軸方向に移動させる必要のあるズームレンズを配設する必要がなくなり、屈曲光学系を使うメリットが最大限に引き出される。本出願人においては、薄型化を達成する屈曲光学系の組立技術に関して特願２００５−３０２８２号等を含めて数多くの提案がなされている。
【０００４】
また、どの程度のズーム倍率にするかを予め決めておいてそのズーム倍率を達成するズームレンズの移動範囲からボディの高さ方向の寸法を定めその寸法内にズームレンズおよび駆動部を詰め込むようにすると、薄型化に加えて高さ方向の縮小化も図ることができる。
【０００５】
図１は、薄型化に加えて上記縮小化が図られた屈曲光学ユニットの一例を示す図である。
【０００６】
図１（ａ）には、屈曲光学ユニット１を正面方向から見た図が示されており、図１（ｂ）にはその屈曲光学ユニットをＡＡ方向から見た矢視図が示されている。この図１には前方に向かう第１の光軸ＯＰ１に沿って入射してきた被写体光をその第１の光軸ＯＰ１と交わる第２の光軸ＯＰ２に沿う方向に反射する反射光学素子であるプリズム１１１を含む４つのレンズ群１１〜１４を備えた屈曲光学系が示されている。
【０００７】
この例においては薄型化を図るために第１の光軸ＯＰ１側に第１レンズ群の中の対物レンズ１１０のみを配備してプリズム１１１以降にプリズム１１１を含む第１レンズ群の残りのレンズ１１２と第２レンズ群１２から第４レンズ群１４までを配備する様にしている。また高さ寸法の縮小化を図るために第２群レンズ１２を第２の光軸方向に沿って移動させるためのリードスクリューＬＳ１とモータＭ１とからなる第１のズーム駆動部ＺＭ１と、第４レンズ群１４を第２の光軸に沿って移動させるためのリードスクリューＬＳ２とモータＭ２とからなる第２のズーム駆動部ＺＭ２を高さ寸法内に高密度に実装する様にしている。
【０００８】
まず、図１を参照して被写体光が図１の下方に示されている撮像素子１５までどのようにして導かれるかを簡単に説明する。
【０００９】
まず、第１レンズ群１１のうちの対物レンズ１１０を経由して入射してきた被写体光がプリズム１１１で第１の光軸ＯＰ１と直交する第２の光軸ＯＰ２側に反射される。さらに、第２の光軸ＯＰ２側に反射された被写体光が第１レンズ群１１の残りのレンズ１１２、さらに第２レンズ群１２、第３レンズ群１３、さらには第４レンズ群１４を通って撮像素子１５にまで達する。この例では、４つのレンズ群１１〜１４のうちの第２レンズ群１２と第４レンズ群１４とがズームレンズに該当する。これらのレンズ群はレンズ群それぞれの位置を合わせるために一本のガイド軸１７に組み付けられている。
【００１０】
図１には、そのズームレンズを構成する第２レンズ群１２と第４レンズ群１４が、第１、第２ズーム駆動部ＺＭ１、ＺＭ２によって駆動されて望遠に対応する位置にそれぞれ配置された状態が示されている。
【００１１】
上記したように所定のズーム倍率を達成するズームレンズの移動範囲から高さ寸法を定めその高さ寸法内に第２レンズ群１２および第４レンズ群１４、さらにそれらを駆動する駆動部ＺＭ１，ＺＭ２を詰め込むようにしているため、図１の望遠位置においては第３レンズ群１３の配設位置ぎりぎりの位置に第２レンズ群１２と第４レンズ群１４が配置され、広角位置においては点線で示す様にカメラボディの高さ寸法ぎりぎりの位置に第２レンズ群１２と第４レンズ群１４が配置されるようになっている。このようにするとボディ内に高密度に実装される。
【００１２】
このようなズームレンズを備えた屈曲光学ユニットを組み立てる場合には、例えば表示画面を備えた調整治具などにより表示画面上の像を確認しながら各レンズ群の配設位置を定めるためのトラッキング調整を行なっておく必要がある。このトラッキング調整とは、望遠から広角まですべての焦点距離でピントがあうようにトラッキング調整用のレンズを動かしてピント調整を行なうことをいう。このようにトラッキング調整を行なうと、望遠から広角までのすべてのズーム範囲でピントがあうようになる。
【００１３】
このトラッキング調整を行なうために上記第１の光軸側のレンズ群１１０をトラッキング調整用に用いると、第１の光軸方向にレンズ群１１０を移動させるための移動機構が必要になるため薄型構造をある程度犠牲にしなければならなくなる。このようなことからどうしても第２の光軸側のレンズ群をトラッキング調整用に用いることになってしまう。
【００１４】
しかし図１に示す様に望遠時には第２レンズ群１２、第４レンズ群１４とも第３レンズ群にかなり接近してしまうため、第２の光軸方向に移動させるための機構を第３レンズ群に設けるようなスペースがあまりない。そこでどうしても第２レンズ群あるいは第４レンズ群をトラッキング調整用のレンズとして用いることになってしまう。
【００１５】
しかしトラッキング調整用のレンズとして第２あるいは第４レンズ群を用いる様にした場合にレンズ群を移動させる機構はともかく、レンズ群の傾きいわゆるアオリ調整まで行なうことができるようにしようとすると、第２あるいは第４レンズ群のレンズ保持構造が複雑になり過ぎるという問題がある。上記した様に第２の光軸側のレンズは一本のガイド軸に組みつけられているため、各レンズ群の中心を光軸に合わせることは容易であるが、そのガイド軸が傾くとレンズ群全体が傾いてしまうという欠点を持っている。
【特許文献１】特開２００５−３７４９０号公報
【発明の開示】
【発明が解決しようとする課題】
【００１６】
本発明は、上記事情に鑑み、トラッキング調整時に光軸方向の位置調整はもとより、上記アオリ調整も行なうことができる簡易な調整機構を備えた屈曲光学ユニットを提供することを目的とする。
【課題を解決するための手段】
【００１７】
上記目的を達成する本発明の屈曲光学ユニットは、前方に向かう第１の光軸に沿って入射してきた被写体光をその第１の光軸と交わる第２の光軸に沿う方向に反射する反射光学素子を含む複数のレンズ群を備え、その第２の光軸に沿って進んできた被写体光を所定の結像面に結像させる屈曲光学ユニットにおいて、
上記反射光学素子を含み、上記第２の光軸に沿って上記結像面に至る前の途中までのレンズ群を保持する前側ハウジングと、
上記複数のレンズ群のうちの前側ハウジングに保持されたレンズ群を除く残りのレンズ群を保持する後側ハウジングとを備え、
上記前側ハウジングと上記後側ハウジングが互いの間に弾性体を挟んで互いに締結されたものであることを特徴とする。
【００１８】
上記本発明の屈曲光学ユニットによれば、上記前側ハウジングと上記後側ハウジングとの間の間隔およびアオリが上記弾性体への締結力の加減により調整される様になる。つまり弾性体への締結力をネジの締め付け具合等により変えることによって前側ハウジングの後側ハウジング側のレンズ群と後側ハウジングの前側ハウジング側のレンズ群との間隔が調整され、加えて上記弾性体を挟んで締結する部分をハウジングの外周に沿って飛び飛びに何点か設けそれぞれの締結力を各々個別に調整することによってアオリ調整も簡単に行なわれるようになる。
【００１９】
以上説明したように、トラッキング調整時に、光軸方向の位置調整はもとより、アオリ調整も行なうことができる調整機構を備えた屈曲光学ユニットが実現する。
【００２０】
例えば、上記複数のレンズ群が、被写体側から上記結像面側に向かって順に上記屈曲光学素子を含む第１のレンズ群、第２のレンズ群、第３のレンズ群、および第４のレンズ群からなり、上記第１のレンズ群、上記第２のレンズ群が上前記前側ハウジングに保持され、上記第３レンズ群、第４のレンズ群が上記後側ハウジングに保持されたものであっても良い。
【発明の効果】
【００２１】
以上、説明したように、光軸方向の位置調整はもとより、アオリ調整も行なうことができる簡易な調整機構を備えた屈曲光学ユニットが実現する。
【発明を実施するための最良の形態】
【００２２】
以下、本発明の実施の形態について説明する。
【００２３】
図２は、本発明の一実施形態である屈曲光学ユニットの構成を示す図である。
【００２４】
図１とほぼ同じ図であり、図２（ａ）には、屈曲光学ユニット１を正面方向から見た図が示されており、図２（ｂ）にはその屈曲光学ユニットをＡＡ方向から見た矢視図が示されている。図２においては、さらに図２（ａ）のハウジング１００を上方から見た図である図２（ｃ）が付加されている。
【００２５】
図１に示す屈曲光学系では、一本のガイド軸１７に第２レンズ群１２、第３レンズ群１３、第４レンズ群１４がすべて保持されていたが、図２においてはハウジングが前側ハウジング１００Ａと後側ハウジング１００Ｂとが分けられ、さらに前側ハウジング１００Ａ側にガイド軸１７Ａが１本、後側ハウジング１００Ｂにガイド軸１７Ｂが１本という構成に変更されている。
【００２６】
この前側ハウジング１００Ａには、反射光学素子であるプリズム１１１を含み、第２の光軸に沿って撮像素子１５の結像面に至る前の途中までのレンズ群、ここでは第２レンズ群１３までが保持されていて、後側ハウジング１００Ｂには、第３レンズ群と第４レンズ群１４が保持されている。
【００２７】
その前側ハウジング１００Ａとその後側ハウジング１００Ｂが互いの間に弾性体Ｇ１を挟んで互いに締結されている。この例では、後側ハウジング１００Ｂから張り出すようにしてネジ締結部１０１が設けられており、そのネジ締結部１０１にネジ１０１Ａが挿通されることにより双方のハウジング１００Ａ，１００Ｂが締結されるようになっている。図２（ａ）に示す様に後側ハウジング１００Ｂには雌ネジＴＡＰが切られていて前側ハウジング１００Ａのその雌ネジＴＡＰと対向する位置には前側ハウジング１００Ａを貫通する孔Ｈｏｌｅが穿設されている。したがって、その雄ネジＴＡＰにネジ１０１Ａを挿通して雌ネジＴＡＰ側にネジ１０１Ａを螺入していくことによって双方のハウジング１００Ａ，１００Ｂが締結されることになる。このようなネジ締結部が図２（ｃ）に示す様にもう２箇所１０１Ｂ，１０１Ｃ設けられている。これら３箇所のネジ締結部のネジの締結力をうまく調整すると、第３レンズ群と第４レンズとの間の間隔と双方のガイド軸１７Ａ，１７Ｂの傾きに起因するレンズ群のアオリを一度に調整することができる。
【００２８】
なお、３箇所あるネジ締結部の各ネジの締結力を調整するにあたっては、例えばアオリがあると撮像素子１５に結像される像が片ボケになったり、結像位置が上下左右にずれたりするので、撮像素子１５上にきちんと像が結像されるようになるようにネジの締め付け方を変えることによって締結力を調整すれば良い。このときには、撮像素子上に結像された像を表示画面上に表示することができるような、例えば本出願人が先に出願した特願２００４−２７６４８９号に記載されているような調整治具を用いると、双方のハウジングを締結する力の調整を好適に行なうことができる。
【００２９】
こうして双方のハウジングを締結する力を調整し終えたら、それらのネジに接着剤などを塗布して固定すれば良い。
【００３０】
以上説明した様に、トラッキング調整はもとより、アオリ調整も行なうことができる簡易な調整機構を備えた屈曲光学ユニットが実現する。
【図面の簡単な説明】
【００３１】
【図１】従来の屈曲光学ユニットの一例を示す図である。
【図２】本発明の一実施形態である屈曲光学ユニットの構成を示す図である。
【符号の説明】
【００３２】
１  屈曲光学ユニット
１１    第１レンズ群
１２    第２レンズ群
１３    第３レンズ群
１４    第４レンズ群
１５    撮像素子
ＯＰ１    第１の光軸
ＯＰ２    第２の光軸
１００    ハウジング
１００Ａ    前側ハウジング
１００Ｂ    後側ハウジング
１０１Ａ    ネジ
Ｇ１    弾性体
【図１】
2007199405.tif 000003
【図２】
2007199405.tif 000004